(57)【要約】【課題】電池の真贋判定を含めた種別判定を確実に行うことのできるパック電池等を提供する。【解決手段】パック電池は、二次電池６と、二次電池６の電極と接続されて外部に表出する一対の充放電端子４と、同じく外部に表出されてパック電池２の種別を判定するためのパック電池信号端子５を備える。さらにパック電池信号端子５と接続され、電気機器本体１から送出される確認信号をパック電池信号端子５を介して受信するためのパック電池通信部７と、所定の条件に基づいて乱数を発生させるための乱数発生部９と、パック電池通信部７で受信した確認信号と、乱数発生部９で発生された乱数とに基づいて判定信号を生成し、判定信号をパック電池通信部７からパック電池信号端子５を介して電気機器本体１側に送出するパック電池制御部８とを備える。【選択図】図３
2005093109.tif 000002
【特許請求の範囲】
【請求項１】
正負一対の電極を備え充電可能な一以上の二次電池(6)と、前記二次電池(6)の電極と接続されて外部に表出し、パック電池(2)と接続される電気機器本体(1)に電源を供給するための一対の充放電端子(4)と、同じく外部に表出されてパック電池(2)の種別を判定するためのパック電池信号端子(5)を備えるパック電池(2)であって、
前記パック電池信号端子(5)と接続され、電気機器本体(1)から送出される確認信号を前記パック電池信号端子(5)を介して受信するためのパック電池通信部(7)と、
所定の条件に基づいて乱数を発生させるための乱数発生部(9)と、
前記パック電池通信部(7)で受信した確認信号と、前記乱数発生部(9)で発生された乱数とに基づいて判定信号を生成し、判定信号を前記パック電池通信部(7)から前記パック電池信号端子(5)を介して電気機器本体(1)側に送出するパック電池制御部(8)と、
を備えることを特徴とするパック電池。
【請求項２】
請求項１に記載のパック電池であって、前記乱数発生部(9)が順序回路で構成されることを特徴とするパック電池。
【請求項３】
請求項２に記載のパック電池であって、前記乱数発生部(9)の順序回路がカウンタ回路で構成され、さらに前記パック電池制御部のメインクロック信号をカウンタ回路に入力して乱数を発生することを特徴とするパック電池。
【請求項４】
請求項１から３のいずれかに記載のパック電池であって、前記パック電池制御部が電気機器本体(1)に送信する判定信号を、電池種別を判定する度に変化させることを特徴とするパック電池。
【請求項５】
正負一対の電極を備え充電可能な一以上の二次電池(6)と、前記二次電池(6)の電極と接続されて外部に表出し、パック電池(2)と接続される電気機器に電源を供給するための一対の充放電端子(4)と、同じく外部に表出されてパック電池(2)の種別を判定するためのパック電池信号端子(5)を備えるパック電池(2)と接続可能な電気機器であって、
前記パック電池(2)の一対の充放電端子(4)と接続されて電源供給を受けるための一対の電気機器電源端子(12)と、
前記パック電池信号端子(5)と接続されて電池の種別判定を行うための電気機器信号端子(13)と、
前記電気機器信号端子(13)を介してパック電池(2)と通信を行うための電気機器通信部(14)と、
接続されるパック電池(2)の種別を判定するための確認信号を生成し、前記電気機器通信部(14)から前記電気機器信号端子(13)を介してパック電池(2)に送信すると共に、パック電池(2)で確認信号および所定の条件に基づいて発生された乱数を入力とする関数に基づき生成された判定信号を受信し、判定信号と確認信号に基づいてパック電池(2)の判別を行う電気機器制御部(15)と、
を備えることを特徴とする電気機器。
【発明の詳細な説明】
【技術分野】
【０００１】
本発明は、二次電池を内蔵するパック電池、このパック電池と接続可能な電気機器、およびパック電池の種別判定方法に関する。
【背景技術】
【０００２】
パック電池は、繰り返し充放電が可能なニッケルカドミウム電池、ニッケル水素電池、リチウムイオン電池等の二次電池を内蔵する。パック電池を利用する携帯機器等の電気機器は様々な種類が存在するため、内蔵する二次電池の種類も多岐にわたる。特に二次電池の定格電圧は接続する電気機器等に応じて決定されるため、電気機器に応じた適切な二次電池を内蔵するパック電池を接続する必要がある。このため、電気機器側で接続したパック電池の種別を検出可能なように信号端子を備えるパック電池が開発されている。
【０００３】
一方、パック電池は接続先の電気機器に対して所定の条件で正しく電力を供給できるように設計されている。また過充電、過放電防止回路などの保護回路を備えることでパック電池及び電気機器本体を保護するものもある。しかしながら、いわゆる海賊品などの互換パック電池の中にはこのような保護回路を備えず、また電圧変動などを生じて電気機器本体が正常に動作しないばかりか、電気機器本体やパック電池自体が破損するおそれのあるものも存在する。したがって、このような贋物のパック電池の使用を検出して電気機器本体を保護するために、電池の真贋判定が必要となる。
【０００４】
このような電池の真贋判定を行うために、パック電池およびこれを使用する電気機器本体の双方に、充放電を行う正・負の電極端子に加えて、通信を行なうための信号端子を設けたものがある。電池の真贋判定機能を備えるパック電池及び電気機器本体の例を図１に示す。この図に示す電気機器本体１およびパック電池２は、電気機器本体１からパック電池２に対して、信号端子を介して何らかの情報を送信する。するとパック電池２は、信号端子から受信された情報を予め設定された関数に入力し、その結果を電気機器本体１に返信する。そして電気機器本体１は、送出した情報と、返信された結果とを対比し、所定の関数に従っているか否かを電気機器制御部１５で判定する。判定の結果が正しければパック電池２は正規品であると判定し、正しくない、あるいは結果が返送されなければパック電池２が贋物であると判別し、判定結果を表示部１６で表示していた。
【０００５】
しかしながら、上記の判定方法では贋物のパック電池を十分に排除することができないという問題があった。それは、贋物パック電池自体に信号端子を設け、かつ信号端子に関数を設定することが可能だからである。例えば、贋物のパック電池を作製する者が、正規品のパック電池を使用して通信端子での通信内容を監視することにより、入力値と出力値の関係を推測することができれば、同様の計算を行う機構を贋物パック電池に内蔵することができてしまう。このように、入力値と出力値から判別方法が推測できる手法では、贋物パック電池に正規品のパック電池と同様の判別機構を備えることにより判別で排除できないという問題があり、質の悪い贋物パック電池を確実に排除できないという問題があった。
【特許文献１】特許第３３４１３０２号公報
【特許文献２】特開２０００−２００２２２号公報
【特許文献３】特表平９−５００５２０号公報
【発明の開示】
【発明が解決しようとする課題】
【０００６】
本発明は、このような問題点を解決するためになされたものである。本発明の主な目的は、電池の真贋判定を含めた種別判定を確実に行うことのできるパック電池、パック電池と接続可能な電気機器、およびパック電池の種別判定方法を提供することにある。
【課題を解決するための手段】
【０００７】
上記の目的を達成するために、本発明の請求項１のパック電池は、正負一対の電極を備え充電可能な一以上の二次電池６と、前記二次電池６の電極と接続されて外部に表出し、パック電池２と接続される電気機器本体１に電源を供給するための一対の充放電端子４と、同じく外部に表出されてパック電池２の種別を判定するためのパック電池信号端子５を備えるパック電池であって、前記パック電池信号端子５と接続され、電気機器本体１から送出される確認信号を前記パック電池信号端子５を介して受信するためのパック電池通信部７と、所定の条件に基づいて乱数を発生させるための乱数発生部９と、前記パック電池通信部７で受信した確認信号と、前記乱数発生部９で発生された乱数とに基づいて判定信号を生成し、判定信号を前記パック電池通信部７から前記パック電池信号端子５を介して電気機器本体１側に送出するパック電池制御部８とを備える。
【０００８】
また、請求項２のパック電池は、請求項１に記載のパック電池であって、前記乱数発生部９が順序回路で構成されることを特徴とする。
【０００９】
さらに、請求項３のパック電池は、請求項２に記載のパック電池であって、前記乱数発生部９の順序回路がカウンタ回路で構成され、さらに前記パック電池制御部８のメインクロック信号をカウンタ回路に入力して乱数を発生することを特徴とする。
【００１０】
さらにまた、請求項４のパック電池は、請求項１から３のいずれかに記載のパック電池であって、前記パック電池制御部８が電気機器本体１に送信する判定信号を、電池種別を判定する度に変化させることを特徴とする。
【００１１】
また、請求項５のパック電池と接続可能な電気機器は、正負一対の電極を備え充電可能な一以上の二次電池６と、前記二次電池６の電極と接続されて外部に表出し、パック電池２と接続される電気機器に電源を供給するための一対の充放電端子４と、同じく外部に表出されてパック電池２の種別を判定するためのパック電池信号端子５を備える。この電気機器は、前記パック電池２の一対の充放電端子４と接続されて電源供給を受けるための一対の電気機器電源端子１２と、前記パック電池信号端子５と接続されて電池の種別判定を行うための電気機器信号端子１３と、前記電気機器信号端子１３を介してパック電池２と通信を行うための電気機器通信部１４と、接続されるパック電池２の種別を判定するための確認信号を生成し、前記電気機器通信部１４から前記電気機器信号端子１３を介してパック電池２に送信すると共に、パック電池２で確認信号および所定の条件に基づいて発生された乱数を入力とする関数に基づき生成された判定信号を受信し、判定信号と確認信号に基づいてパック電池２の判別を行う電気機器制御部１５とを備えることを特徴とする。
【発明の効果】
【００１２】
本発明のパック電池、パック電池と接続可能な電気機器、およびパック電池の種別判定方法によれば、電池の種別を確実に判定でき、例えば規格外、規定外の贋物パック電池を検出できるので、電気機器本体側で接続されたパック電池の種別を把握して安全に使用できる。特にパック電池の種別判定の際に乱数を使用することにより、同様の機構の再現が困難となり容易な贋物パック電池の作成が阻害されて、パック電池の真贋判定の精度が上がる。その結果、条件を満たさない規格外の電池の使用を排除してパック電池の安全な利用が確保される。また乱数発生部にカウンタ回路を使用し、かつメインクロック発生部をカウンタ回路の入力に利用することで、既存の部材を活用して高度なセキュリティを確保できるようになり、従来のパック電池の構造の複雑化やコストアップ、装置自体の大型化を回避しつつ、質の悪い贋物パック電池を検知してパック電池の信頼性や安全性を高めることができる。
【発明を実施するための最良の形態】
【００１３】
以下、本発明の実施の形態を図面に基づいて説明する。ただし、以下に示す実施の形態は、本発明の技術思想を具体化するためのパック電池、パック電池と接続可能な電気機器、およびパック電池の種別判定方法を例示するものであって、本発明はパック電池、パック電池と接続可能な電気機器、およびパック電池の種別判定方法を以下のものに特定しない。
【００１４】
また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１５】
図２に、本発明の一実施の形態に係るパック電池の外観を示す。この図に示すパック電池２は、本体ケース３内部に二次電池や保護回路などを内蔵しており、本体ケース３の一端にこれらの回路群と電気接続するための端子群を表出している。端子群は、電池の正負極と接続された一対の充放電端子４と、パック電池２の種別判定等の目的でパック電池２との間で信号をやりとりするためのパック電池信号端子５を備える。図２においては、左から＋電源端子４Ａ、パック電池信号端子５、−電源端子４Ｂの順に併設されている。
【００１６】
［パック電池２］
図３に、本発明の一実施の形態に係るパック電池２及び電気機器本体１を示す。この図に示すパック電池２は、二次電池６と、二次電池６の端子と接続された充放電端子４と、パック電池信号端子５と、パック電池信号端子５と接続されたパック電池通信部７と、パック電池通信部７と接続されたパック電池制御部８と、パック電池制御部８に乱数を入力するための乱数発生部９と、メインクロック発生部１０とを備える。またこのパック電池２は、充放電端子４として＋電源端子４Ａと−電源端子４Ｂを備える。なお図示しないが、過充電保護機能や過放電保護機能、過電流保護機能等を実現する回路をパック電池側、あるいは電気機器本体側に適宜追加することもできる。
【００１７】
二次電池６は、繰り返し充放電が可能なニッケルカドミウム電池、ニッケル水素電池、リチウムイオン電池、リチウムポリマー電池等が利用できる。なお、図３では二次電池６を１つのみ図示しているが、２本以上を直列、あるいは並列に接続することも可能であることはいうまでもない。
【００１８】
パック電池通信部７はパック電池制御部８と接続されており、パック電池信号端子５を介して後述する電気機器通信部１４と通信を行う。パック電池通信部７は、受信部７Ａと送信部７Ｂとを備える。受信部７Ａは、電気機器通信部１４の送信部１４Ｂから確認信号を受信し、パック電池制御部８に送出する。また送信部７Ｂは、パック電池制御部８で生成された判定信号を、電気機器通信部１４の受信部１４Ａに送信する。
【００１９】
なお、図３の例ではパック電池通信部７および後述する電気機器通信部１４のいずれも、受信部と送信部を別部材としているが、これらを一体に統合して送受信機能を有する通信部とすることもできる。さらに、電気機器本体１とパック電池２は一対の電源端子の他、パック電池２の種別判定のための信号端子を一または複数設ける。図３に示すように受信部と送信部を別部材とする場合は信号端子を２つ設けても良いが、接点数を少なくしてコスト低減及び接触不良などの問題を少なくする観点から、好ましくは一の信号端子に統合する。
【００２０】
パック電池制御部８は、受信部７Ａで受信した確認信号と、乱数発生部９で生成される乱数とを入力とする所定の関数を演算して判定信号を送信部７Ｂに送出する。関数は、パック電池２に内蔵される二次電池６の種別や数、あるいは定格、型番等によって変更できる。これによって、確認信号の値を変化させ、電気機器本体１側で接続されたパック電池２の種別を正しく認識できる。ここで関数の入力値を、電気機器本体１からパック電池２に送られる確認信号のみならず、乱数も入力とすることで、同じ値の確認信号が電気機器本体１からパック電池２に送信された場合でも、パック電池２から電気機器本体１に返される判定信号は乱数によって変動することになる。したがって、第三者が電気機器本体からパック電池に送信される確認信号を計測しても、どのような方法で確認信号を生成しているのかを推測することが困難となり、パック電池の模倣を極めて困難にでき、ひいては正規品パック電池を使用することによる品質維持、安全性確保が図られる。
【００２１】
乱数を発生させる乱数発生部９は、所定のタイミングで所定の関数によって乱数を生成するものや、電気的ノイズ源から操作により生成するもの等が利用できる。例えば、クロック等から得られた情報に基づいて、所定の関数によってその都度得られた固有の値を乱数とする。具体的には、格納しているデータに所定の変化を与えるように接続されて、供給されるクロックに応じてデータをシフトする複数のレジスタを含み、所定のレジスタから乱数を順次出力するシフトレジスタを有する。ここでは乱数発生部９として順序回路を使用する。順序回路は、出力が現在の入力の状態だけでなく、過去の入力条件にも依存するように記憶回路を含むスイッチング回路である。順序回路の出力は過去の入力の履歴に依存して変化することから、何らかの信号を入力すればその時々によって値が変動し、乱数として使用することができる。なお本明細書において乱数は擬似乱数を用いることもできる。擬似乱数は、例えばある初期値から出発してその２乗の中央部から必要桁数を取り出し、これを順次繰り返して生成される。本明細書においては、このような擬似乱数も含めて「乱数」と呼ぶ。
【００２２】
順序回路は、例えばカウンタ回路で構成される。カウンタ回路としては、所定のクロックを発生するクロック発生部より入力されるクロックによりカウント動作し、このカウント値を所定ビット数の２進値として出力する２進カウンタ等が利用できる。順序回路は、別の例ではシフトレジスタを利用した擬似乱数生成回路で構成される。ここでカウンタ用のクロック発生部は、専用の部材を設けずとも、パック電池２に内蔵されるメインクロック発生部１０を利用することができる。一般に電子計算機は、動作を制御する同期のタイミング用、あるいは伝送系の時間軸として、所定の時間間隔で発生されるパルスを利用しており、このようなパルスを発生するためのメインクロック発生部１０を備えている。このような既存のメインクロック発生部１０を順序回路への入力として利用することで、順序回路用の信号発生源を別途用意することなく、コスト削減及び回路設計の簡素化、ひいては小型化が実現される。
【００２３】
メインクロック発生部１０はクロック信号を乱数発生部９である擬似乱数生成回路に出力する。擬似乱数生成回路は、メインクロック発生部１０はクロック信号をシフトクロックとして、所定桁数のビット系列を１サイクルとする擬似乱数系列を生成する。乱数発生部９は、所定の初期値記憶部からの初期値を保持するプリセットレジスタと、シフトレジスタと、シフトレジスタの出力値の排他的論理和を算出する排他的論理和ゲートで構成される。初期値記憶部から送られてくる初期値がプリセットレジスタにセットされると、その直後に送られてくるフォーマッタからのストローブ信号によって、その初期値がシフトレジスタに書き込まれる。その後、メインクロック発生部１０からのクロック信号に同期して、シフトレジスタに格納された値は左方向に桁シフトされると共に、排他的論理和ゲートからの出力値がシフトレジスタのＬＳＢ（第０桁）にフィードバックされて格納される。これによって、シフトレジスタのＭＳＢには、バイトごとに１ビットの新たな乱数が生成され、擬似乱数系列として、排他的論理和ゲートに送られる。
【００２４】
図４に、２ｂｉｔのカウンタ回路９Ａの一例を示す。この図に示すカウンタ回路９Ａは、２つのＤ型フリップフロップ１１で構成される。フリップフロップ１１は２つの安定状態をもち、トリガ入力によって状態間を速やかに遷移する。クロック入力から入力されたクロックに同期した出力を生じる。一方のフリップフロップ１１のクロック入力として、メインクロック信号を入力し、Ｄ出力を他方のフリップフロップ１１のクロック入力とする。この構成によって、２ｂｉｔの出力が得られ、メインクロック信号のタイミング毎に００、０１、１０、１１の順に４通りの値を取り得る。
【００２５】
さらに図５に、３ｂｉｔの擬似乱数生成回路９Ｂの一例を示す。この図に示す擬似乱数生成回路９Ｂは、３つのＤ型フリップフロップ１１で構成される。これによって３ｂｉｔ、７通りの値を取り得る擬似乱数を出力することができる。
【００２６】
また、これらパック電池制御部８や乱数発生部９などの部材は、所定のゲートアレイ（ＦＰＧＡ、ＡＳＩＣ）等のハードウエアやソフトウエア、あるいはこれらの混在により実現できる。また必ずしも各構成要素が図３に示した構成と同一でなくてもよく、その機能が実質的に同一であるもの、及び一つの要素が図３に示す構成における複数の要素の機能を備えるものは、本発明に含まれる。
【００２７】
このようにして乱数を用いてパック電池２の種別判定を行う場合、電気機器本体１からパック電池２に送出する確認信号に対して、パック電池２から電気機器本体１へ返送する判定信号は一義的に決まらないため、解読が困難となりセキュリティが高くなる。すなわち、パック電池２の種別判定作業を行うたびに確認信号に対する判定信号が変化することで、その演算アルゴリズムの特定を困難とすることができる。仮に電気機器本体からパック電池に送出される値、および返信される値が毎回同じであると、第三者が贋物パック電池を作製する際に、パック電池から電気機器本体に対して返送する判定信号を１種類記憶しておき、その値を判定時に返送することで正規品と判断されるような贋物パック電池の作製が可能となる。しかしながら、乱数を入力として含む関数を用いて判定信号を一見ランダムとすることにより、真贋判定の基準を攪乱し、品質の悪い贋物パック電池が真贋判定をクリアすることを回避し、結果的にパック電池の信頼性、安全性を確保できる。
【００２８】
一方、電気機器本体１側は確認信号が正しい値かそうでないかを正しく判定できる。それは、電気機器本体１側では予めパック電池制御部８で演算される関数や計算方法、乱数として取りうる値の範囲等が判明しているため、パック電池２から返送された確認信号が、乱数の値によってはそのような値となることがあるのか、あるいは乱数がどのような値を取ってもそのような値を取り得ない値なのかを判定することができる。したがって、この判定によって種別判定を行うことができる。
【００２９】
この種別判定は、パック電池接続時に行う。ただ、接続時に判定を一度だけ行うのみならず、接続時に３回判定を繰り返したり、あるいはパック電池の使用中に定期的に通信を行って判定を行うこともできる。複数回の判定を行うことで、種別判定がより確実となり、偶発的に贋物パック電池が正しい判定信号を返すことがあっても、複数回の判定で一度でも判定を誤ると正規品でないと判断でき、確実に贋物パック電池を検知できる。
【００３０】
なお本明細書において電池の判別あるいは判定とは、接続されたパック電池の種別を判定する種別判定と、接続されたパック電池が正規のパック電池であるかどうかを判別する真贋判定とを含む意味で使用する。
【００３１】
［電気機器本体１］
一方電気機器本体１は、パック電池２の充放電端子４と接続されて電源供給を受けるための一対の電気機器電源端子１２と、パック電池信号端子５と接続されて電池の種別判定を行うための電気機器信号端子１３と、電気機器信号端子１３を介してパック電池２と通信を行うための電気機器通信部１４と、接続されるパック電池２の種別を判定するための確認信号を生成し、電気機器通信部１４から電気機器信号端子１３を介してパック電池２に送信すると共にパック電池２で生成された判定信号を受信し判定信号と確認信号に基づいてパック電池２の判別を行う電気機器制御部１５と、電気機器制御部１５で行った判別結果を表示するための表示部１６とを備える。
【００３２】
電気機器本体１は、例えばパック電池２を充電する充電器や、携帯電話、ＰＤＡ、ハンディターミナルなどの携帯型電子機器等が利用できる。電気機器本体１とパック電池２とは、連結可能な形状に形成されている。電気機器本体１とパック電池２とが接続された状態で、電気機器の電源端子とパック電池２の充放電端子４とが電気的に接続された状態となる。これによって電気機器本体１はパック電池２から電力供給を受ける。あるいは、電気機器本体１が充電器の場合は、パック電池２を充電する。
【００３３】
電気機器通信部１４は電気機器制御部１５と接続されており、電気機器信号端子１３を介してパック電池２と通信を行う。電気機器通信部１４も、受信部１４Ａと送信部１４Ｂとを備える。送信部１４Ｂは、電気機器制御部１５で生成された確認信号を、パック電池２側の受信部７Ａに送出する。また受信部１４Ａは、パック電池制御部８で演算された判定信号を受信して電気機器通信部１４に送出する。
【００３４】
電気機器制御部１５は、確認信号を生成すると共に、受信された判定信号を確認信号と対比して、パック電池２の種別を判定する。確認信号は、パック電池２の種別判定を行うことをパック電池２側に要求するトリガであり、任意の信号とできる。また判定信号が、確認信号と正しく対応しているかどうかを判定する。判定は、上述のとおり確認信号として取り得る値であるかどうかにより行われる。確認信号が正しい場合はさらに、パック電池２の種別判定を行うこともできる。パック電池２の種別に応じてパック電池制御部８で演算される関数を変更しておくことにより、確認信号に基づいて電池種別を特定できる。
【００３５】
判定結果は、表示部１６に表示することができる。表示部１６は、電気機器本体１に設けられた液晶ディスプレイなどが利用できる。例えば「正しいパック電池ＸＸＸが接続されました」等のメッセージを表示してユーザに告知する。あるいは、パック電池の種別判定を行っていることをユーザに知らせないこともできる。
【００３６】
また、パック電池が正規品でない場合は、表示部１６に「パック電池は正規品でない可能性があります。使用を継続すると異常が発生するおそれがあります」等のメッセージを表示する。さらに、この場合はパック電池の使用を制限しても良い。例えば、パック電池の使用時間を通常の１／２としたり、最大電流を定格値の８０％とする、特定の機能を使用禁止にする、あるいは電気機器本体１側の電源ラインのスイッチを遮断状態とすることにより負荷１７への電源供給を遮断する等の方法がある。これらの制限は、電気機器制御部１５が駆動制限部１８を制御することにより行われる。駆動制限部１８は電流制御を行うパワーＭＯＳＦＥＴなどが利用できる。このように真性品でないパック電池の使用を制限することにより、規格外の電池使用による事故を防止し、安全性を高めて使用者を保護する。また、正規品の使用を促すことで正規のパック電池の販売促進も期待できる。
【００３７】
以上のパック電池及び電気機器本体は、以下のようにして電池の種別判定を行う。
（１）電気機器本体１は、電気機器制御部１５で確認信号を生成し、電気機器本体１の送信部１４Ｂよりパック電池２に送信する。
（２）パック電池２は、電気機器本体１より送信された確認信号をパック電池２の受信部７Ａで受信する。
（３）受信した確認信号と、乱数発生部９で発生された乱数を入力とする関数の関数値を、パック電池制御部８で演算する。
（４）上記関数値を判定信号として、パック電池２の送信部７Ｂより電気機器本体１に送信する。
（５）電気機器本体１は、パック電池２より送信された判定信号を電気機器本体１の受信部１４Ａで受信する。
（６）電気機器本体１は、電気機器制御部１５で、最初に送信した確認信号とパック電池２より受信した判定信号との対応が正しいかどうかを判定する。
（７）判定結果を、表示部１６で表示する。
【産業上の利用可能性】
【００３８】
本発明のパック電池、パック電池と接続可能な電気機器、およびパック電池の種別判定方法は、携帯電話や充電器、ＭＤプレーヤなどのメディア再生装置のパック電池に適用できる。
【図面の簡単な説明】
【００３９】
【図１】従来のパック電池及び電気機器本体を示すブロック図である。
【図２】本発明の一実施の形態に係るパック電池の外観を示す斜視図である。
【図３】本発明の一実施の形態に係るパック電池及び電気機器本体を示すブロック図である。
【図４】乱数発生部として２ｂｉｔのカウンタ回路の一例を示すブロック図である。
【図５】乱数発生部として３ｂｉｔの擬似乱数生成回路の一例を示すブロック図である。
【符号の説明】
【００４０】
１…電気機器本体
２…パック電池
３…本体ケース
４…充放電端子
４Ａ…＋電源端子
４Ｂ…−電源端子
５…パック電池信号端子
６…二次電池
７…パック電池通信部
７Ａ…受信部
７Ｂ…送信部
８…パック電池制御部
９…乱数発生部
９Ａ…カウンタ回路
９Ｂ…擬似乱数生成回路
１０…メインクロック発生部
１１…フリップフロップ
１２…電気機器電源端子
１３…電気機器信号端子
１４…電気機器通信部
１４Ａ…受信部
１４Ｂ…送信部
１５…電気機器制御部
１６…表示部
１７…負荷
１８…駆動制限部
【図１】
2005093109.tif 000003
【図２】
2005093109.tif 000004
【図３】
2005093109.tif 000005
【図４】
2005093109.tif 000006
【図５】
2005093109.tif 000007